(57)【要約】【課題】  使用者が一度に一つだけのアプリケータを容易に掴むことができ、しかもまだ使用していないアプリケータを使用者が汚す危険のない包装装置を提供する。【解決手段】  本発明による包装装置は、  多数のアプリケータ（３０）と；  これらのアプリケータの間に配置された多数のスペーサー（１２）を備え、二つの連続したスペーサーが一端をヒンジ形態で結合され、成形プラスチック材料の単一部片である、上記アプリケータを受ける支持体（１０）と；を有して成る。【選択図】    図１
2005066344.tif 000002
【特許請求の範囲】
【請求項１】
多数のアプリケータ（３０）と；
これらのアプリケータの間に配置された多数のスペーサー（１２）を備え、二つの連続したスペーサーが一端をヒンジ形態で結合され、成形プラスチック材料の単一部片である、上記アプリケータを受ける支持体（１０）と；
を有することを特徴とする包装装置。
【請求項２】
プラスチック材料がポリオレフィンであることを特徴とする請求項１記載の包装装置。
【請求項３】
二つの連続したスペーサー（１２）がフィルムヒンジ（１７）で結合されていることを特徴とする請求項１又は請求項２記載の包装装置。
【請求項４】
支持体が内部に挿入される容器（２０）を有することを特徴とする請求項１〜３いずれか一項記載の包装装置。
【請求項５】
容器が、本体（２１）及び本体に取外し可能に固定するように構成された蓋（２３）を備えていることを特徴とする請求項４記載の包装装置。
【請求項６】
蓋が、漏れないように、本体に固定されるように構成されていることを特徴とする請求項５記載の包装装置。
【請求項７】
容器がねじ付き首部（２２）を備え、蓋（２３）が首部にねじ嵌合するように構成されていることを特徴とする請求項５記載の包装装置。
【請求項８】
各アプリケータ（３０）に、少なくとも一つの物質がしみ込ませられることを特徴とする請求項１〜７のいずれか一項記載の包装装置。
【請求項９】
物質が液体又は粉体であることを特徴とする請求項８記載の包装装置。
【請求項１０】
各アプリケータ（３０）が、容器に充填する物質でしみ込ませられることを特徴とする請求項１〜９のいずれか一項記載の包装装置。
【請求項１１】
少なくとも一つのアプリケータ（３０）の二面に、それぞれ異なる物質がしみ込ませられることを特徴とする請求項１〜９のいずれか一項記載の包装装置。
【請求項１２】
スペーサー（１２）が、支持体で支持された異なるアプリケータの面間の接触を避けるようにして構成されることを特徴とする請求項１〜１１のいずれか一項記載の包装装置。
【請求項１３】
支持体（１０）が、容器（２０）から完全に抜き取りできるのを阻止するように容器（２０）と共動するように構成されていることを特徴とする請求項１〜１２のいずれか一項記載の包装装置。
【請求項１４】
支持体は、支持体が完全に容器から離れ得るのを阻止するように弾性的に連続して変形することにより容器の開口を通るように構成した基部分（１１）を備えていることを特徴とする請求項１３記載の包装装置。
【請求項１５】
支持体が収納形態にある時、支持体が支持体の基部分（１１）を介して容器の底部（２１ｂ）に置かれていることを特徴とする請求項１４記載の包装装置。
【請求項１６】
基部分（１１）が多数の弾性的に変形可能なタブ（１８）を備えていることを特徴とする請求項１４又は請求項１５記載の包装装置。
【請求項１７】
各タブ（１８）が、半径方向外方へのびる部分を備え、この部分が面取りした底部分（１８ｂ）により下方向へのびて支持体を容器内へ容易に挿入できるようにしたことを特徴とする請求項１７記載の包装装置。
【請求項１８】
容器が、底端部に肩部（２４）を画定する首部（２２）を備え、タブ（１８）が容器内に支持体を保持するように肩部に対して当接する請求項１６又は請求項１７記載の包装装置。
【請求項１９】
スペーサー（１２）がプレートから成る請求項１〜１８のいずれか一項記載の包装装置。
【請求項２０】
スペーサーの横断寸法がアプリケータの横断寸法より小さいことを特徴とする請求項１〜１９のいずれか一項記載の包装装置。
【請求項２１】
支持体が収納形態にある時、スペーサー（１２）が互いにほぼ平行にかつほぼ等距離にのびていることを特徴とする請求項１〜２０のいずれか一項記載の包装装置。
【請求項２２】
支持体が収納形態にある時、少なくとも一つのアプリケータがそれに隣接したスペーサーを越えてのびるように、スペーサー（１２）が構成されていることを特徴とする請求項１〜２１のいずれか一項記載の包装装置。
【請求項２３】
支持体が収納形態にある時、少なくとも一つのアプリケータがヒンジ付き側部から離れた側部におけるスペーサーを越えてのびるように、スペーサーが配列されていることを特徴とする請求項１〜２２のいずれか一項記載の包装装置。
【請求項２４】
アプリケータ（３０）の数が１０〜３０の範囲であることを特徴とする請求項１〜２３のいずれか一項記載の包装装置。
【請求項２５】
アプリケータがディスク形状であることを特徴とする請求項１〜２４のいずれか一項記載の包装装置。
【請求項２６】
支持体の厚さが０．５ｍｍ〜３ｍｍの範囲であることを特徴とする請求項１〜２５のいずれか一項記載の包装装置。
【請求項２７】
支持体が、隣接したスペーサーにヒンジにより接続した頂部分（１３）を備えていることを特徴とする請求項１〜２６のいずれか一項記載の包装装置。
【請求項２８】
頂部分（１３）がハンドル部材（１４）を備えていることを特徴とする請求項２７記載の包装装置。
【請求項２９】
ハンドル部材が外方に向いたトングの形状であることを特徴とする請求項２８記載の包装装置。
【請求項３０】
支持体が、スペーサーの横断寸法より大きな横断寸法と、アプリケータの横断寸法より僅かに大きな横断寸法とをもつ頂部分（１３）を備えていることを特徴とする請求項１〜２９のいずれか一項記載の包装装置。
【請求項３１】
頂部分（１３）が、下側に位置するアプリケータ（３０）を完全に覆っていることを特徴とする請求項２７〜３０のいずれか一項記載の包装装置。
【請求項３２】
頂部分が、それを通る開口（４９）を備えていることを特徴とする請求項２７〜３１のいずれか一項記載の包装装置。
【請求項３３】
二つの連続したスペーサーが、それらスペーサーの間に位置したアプリケータを押しつぶすのを避けるような形態に構成されることを特徴とする請求項１〜３２のいずれか一項記載の包装装置。
【請求項３４】
支持体が、スペーサーを担持するトランクを備え、そして全てのスペーサーがトランクの同じ側部からのびていることを特徴とする請求項１〜３３のいずれか一項記載の包装装置。
【請求項３５】
全てのスペーサーが同一であることを特徴とする請求項１〜３４のいずれか一項記載の包装装置。
【請求項３６】
各スペーサーが二つの端部を備え、装置が収納形態にある時、スペーサーの二つの端部が垂直に重ねられることを特徴とする請求項１〜３５のいずれか一項記載の包装装置。
【請求項３７】
請求項１〜３６のいずれか一項記載の包装装置を用いて皮膚、粘膜、爪又はヘアーを化粧品でトリートメントする方法において、
少なくとも一つのスペーサー（１２）を他のスペーサー（１２）に対して回動させてこれら二つのスペーサーの間に位置したアプリケータ（３０）を取り出し得る位置にすること；及び
該アプリケータを取り出してそのアプリケータを用いて化粧品を塗布すること；
を含むことを特徴とする方法。
【請求項３８】
アプリケータを取り出す前に、支持体を容器（２０）から一部抜き出して、複数のアプリケータが密封的に包装できるようにし、及び（又は）複数のアプリケータが塗布すべき物質で含浸できるようにすることを特徴とする請求項３７記載の方法。
【請求項３９】
請求項１〜３６のいずれか一項記載の包装装置の製造方法において、
一端をヒンジで相互接続した多数のスペーサーを備える支持体を充填部に設ける段階と；
スペーサー間にアプリケータを挿置する段階と；
を含むことを特徴とする包装装置の製造方法。
【請求項４０】
スペーサー間にアプリケータを挿置する段階が、二つの連続したスペーサーが上向きに開いたV字形を成すようにこれら二つの連続したスペーサーを離間させ、そしてアプリケータをこれら二つの連続したスペーサー間で垂直に摺動させることにより行なわれることを特徴とする請求項３９記載の包装装置の製造方法。
【請求項４１】
スペーサー間に挿置するアプリケータが、アプリケータを移送部材（４７）に対して一つずつ押圧できる押圧部材（４６）を備えたディスペンサー（４５）に積重ねられることを特徴とする請求項４０記載の包装装置の製造方法。
【請求項４２】
移送部材が、回転駆動されるローラーで構成されることを特徴とする請求項４１記載の包装装置の製造方法。
【請求項４３】
支持体が、充填中、ホルダー部材（４０）に対して支持し、また支持体の基部分が、ホルダー部材（４０）に対して支持体（１０）の動きを生じさせる及び（又は）その動きを伴うように垂直に動かされることを特徴とする請求項３９〜４２のいずれか一項記載の包装装置の製造方法。
アプリケータ。
【請求項４４】
支持体が、折畳んだ状態で容器内に挿置されることを特徴とする請求項３９〜４３のいずれか一項記載の包装装置の製造方法。
【請求項４５】
支持体が、基部分の弾性変形により容器の開口を通るように構成されていることを特徴とする請求項４４記載の包装装置の製造方法。
【請求項４６】
容器が少なくとも部分的に液体で満たされ、そして密封して閉じられることを特徴とする請求項４５記載の包装装置の製造方法。
【発明の詳細な説明】
【技術分野】
【０００１】
本発明は、複数のアプリケータ、例えば不織布又は他の材料の可撓性ディスクの形態である種類のアプリケータを包装する装置に関するものである。
【背景技術】
【０００２】
このようなアプリケータは、特に特許文献１、特許文献２及び特許文献３から公知である。
【０００３】
特許文献１に記載された発明では、各アプリケータに中心開口が設けられ、そしてアプリケータは、液体を収容した容器内に浸される支持体のロッドに積重ねられる。支持体には、容器から支持体を抜き出すことのできるハンドルか設けられる。このような装置では、使用者は一度に一つだけのアプリケータを掴むことが非常に難しいことが分かる。さらに、まだ使用していないアプリケータを使用者が汚す危険が無視できない。
【０００４】
特許文献２及び特許文献３には、明らかに同じで、同じ欠点をもつ装置が記載されている。
【特許文献１】米国特許第２９８３３６９号
【特許文献２】米国特許第４７６５４８２号
【特許文献３】米国特許第５８９４９２７号
【発明の開示】
【発明が解決しようとする課題】
【０００５】
本発明は、これらの欠点を解決する新規の包装装置を提供することにある。
【課題を解決するための手段】
【０００６】
本発明はこの目的を、本発明の第１の特徴において、
多数のアプリケータと；
これらのアプリケータの間に配置された多数のスペーサーを備え、二つの連続したスペーサーが一端をヒンジ形態で結合される、アプリケータを受ける支持体と；
を有することを特徴とする包装装置によって達成する。
【０００７】
スペーサーを設けることによって、使用者はアプリケータを容易に掴むことができ、またなお支持体に存在している未使用のアプリケータを汚す危険が減少する。アプリケータを互いに突き刺す危険も低減され又は除去される。
【０００８】
適当には、本発明は、二つの連続したアプリケータ間の接触を避けることができ、このことは、特に二側型すなわち、収納中に接触してはならない反対側面に異なる物質をもつアプリケータの場合に有効であり得る。
【０００９】
さらに、スペーサーの一端部をヒンジで互いに接続することにより、アプリケータをスペーサー間に容易に装着することができる。
【００１０】
好ましくは、二つの連続したスペーサーはフィルムヒンジにより互いに接続される。
【００１１】
また好ましくは、支持体は、プラスチック材料、例えばポリオレフィンを成形することにより単一部片として構成される。
【００１２】
また好ましくは、本装置は、特に収納形態にある時に、支持体を挿入できる容器を備える。
【００１３】
容器は、例えば、本体及び本体に特に漏れないように取外し可能に固定するように構成された蓋を備え得る。
【００１４】
容器は、アプリケータを汚染から保護するのに有用であり得、そして容器内に置かれたアプリケータの保護を改善し得る。特に、容器は、アプリケータを湿った雰囲気内に保存することができる。
【００１５】
例として、容器は、ねじ付き首部を備えることができ、そして蓋は首部にねじ嵌合するように構成され得る。このようにして本体に蓋を組立てることにより、漏れない閉鎖を容易に得ることができる。
【００１６】
各アプリケータには、少なくとも一つの物質、特に液体又は粉体であってもよい化粧品又はケアー製品がしみ込ませられ得る。
【００１７】
アプリケータにしみ込む物質は、容器を充填する液体であってもなくてもよい。
【００１８】
例として、少なくとも一つのアプリケータの二面には、それぞれ異なる物質がしみ込ませられる。その場合、スペーサーは、支持体で支持された異なるアプリケータの面間の接触を避けるようにして構成され得る。例として、異なる物質をしみ込ませた二つの面を備えたアプリケータは、不浸透性の中間層で分離される二つの外側層を備えることができる。
【００１９】
支持体は、容器から完全に抜き取りできないようにするため容器と共動するように構成され得る。特に、容器に液体が満たされると、例えば容器の外部へ液体が飛び散る危険を減少するように作用し得る。
【００２０】
特に、支持体は、弾性的に連続して変形して容器の開口を通り、そして支持体が完全に容器から離れ得るのを阻止するように構成した基部分を備えてもよい。基部分の最大横方向寸法、特に最大直径は、容器の頂部分の最小横方向寸法、特に首部の最小直径より大きい。
【００２１】
支持体が収納形態にある時、支持体は支持体の基部分を介して容器の底部（２１ｂ）に置かれ得る。
【００２２】
例として、基部分は多数の弾性的に変形可能なタブを備えることができる。
【００２３】
各タブは、半径方向外方へのびる部分を備えることができ、この部分は面取りした底部分により下方向へのびて支持体を容器内へ容易に挿入できるようにし得る。
【００２４】
容器が、底端部に肩部（２４）を画定する首部を備えている場合には、タブは容器内に支持体を保持するために肩部に対して当接し得る。
【００２５】
スペーサーは種々の仕方で構成でき、特に、アプリケータの横断寸法より小さい又は大きい横断寸法をもつ随意に孔の開けられたプレートの形態でもよい。用語“横断寸法”は、関連したスペーサーが回動する軸線に対して垂直に測った寸法を意味するのに用いられる。
【００２６】
特に、スペーサーは、支持体が収納形態にある時、互いにほぼ平行にかつほぼ等距離にのびることができる。
【００２７】
スペーサーは、支持体が収納形態にある時、少なくとも一つのアプリケータがそれに隣接したスペーサーを越えてのび、そして特にヒンジ付き側部から離れた側部におけるスペーサーを越えてのびるように、配列され得る。
【００２８】
包装装置は、例えばアプリケータの目的に関連して多くの種類の数のアプリケータを備えることができる。アプリケータの数は例えば１０〜３０の範囲内であり得る。
【００２９】
アプリケータは種々の形状をもち得るが、しかしアプリケータは好ましくはディスク形状であり、それにより、アプリケータは、円筒形側壁をもつ本体及び本体にねじ嵌合される蓋を備えた容器に包装することができる。
【００３０】
アプリケータはまた、デイスク形状以外の形状でもよく、例えば、アプリケータは楕円形又は多角形でもよく、特に、方形又は長方形でもよい。
【００３１】
支持体の厚さは、塗布すべき物質の性質及びトリートメントすべき表面に依存し、例えば０．５ｍｍ〜３ｍｍの範囲であり得る。
【００３２】
支持体は、隣接したスペーサーにヒンジにより接続した頂部分を備えることができ、  頂部分は、有利には、例えば外方に向いたトングの形状のハンドル部材を備えている。
【００３３】
頂部分は、スペーサーの横断寸法より大きな横断寸法と、アプリケータの横断寸法より僅かに大きな横断寸法とをもち得る。
【００３４】
用語“横断寸法”は、頂部分が回動する軸線に対して垂直に測った寸法を意味するのに用いられる。
【００３５】
支持体が容器内に収納した形態にある時、頂部分は、容器から支持体の一部を引き出すのに用いられ得、特にスペーサーが互いに等しくない角度を成し得るアプリケータを提供する形態にするのに用いられ得る。
【００３６】
頂部分は円形又はその他の輪郭をもつことができ、そして下側に位置するアプリケータを完全に又は部分的に覆い得る。
【００３７】
頂部分は、特にその中央領域に開口が設けられ得る。
【００３８】
本発明の別の特徴において、本発明は、一端を互いに接続しそしてプラスチック材料を成形することにより単一部片として構成した多数のスペーサーを有するアプリケータ支持体を提供する。
【００３９】
支持体は、各々にスペーサーを接続した複数のフィルムヒンジによって相互に接続したセグメントの連続体から成るトランクを備え得る。
【００４０】
本発明は、また、上記のものとは別個に又は上記のものと関連して、
容器と；
多数のアプリケータと；
これらのアプリケータの間に配置された多数のスペーサーを備えた、アプリケータを受ける支持体と；
を有し、二つの連続したスペーサーが一端をヒンジ形態で結合され、支持体が弾性的に変形されることにより容器の開口を通り、そして支持体が容器から完全に離れるのを阻止するように構成した基部分を備えている包装装置を提供する。
【００４１】
本発明の別の特徴において、本発明はまた、上記の包装装置を用いて特に皮膚、粘膜、爪又はヘアーを化粧品でトリートメントする方法を提供し、この方法は、
少なくとも一つのスペーサーを他のスペーサーに対して回動させてこれら二つのスペーサーの間に位置したアプリケータを取り出し得る位置にすること；及び
該アプリケータを取り出してそのアプリケータを用いて化粧品を塗布すること；
を含む。
【００４２】
アプリケータを取り出す前に、支持体を容器から一部抜き出して、複数のアプリケータが密封的に包装できるようにし、及び（又は）複数のアプリケータが塗布すべき物質で含浸できるようにする。
【００４３】
本発明の別の特徴において、本発明は上記の包装装置の製造方法を提供し、この方法は、
一端をヒンジで相互接続した多数のスペーサーを備える支持体を充填部に設ける段階と；
スペーサー間にアプリケータを挿置する段階と；
を含む。
【００４４】
例として、スペーサー間にアプリケータを挿置する段階は、二つの連続したスペーサーが上向きに開いたV字形を成すようにこれら二つの連続したスペーサーを離間させ、そしてアプリケータをこれら二つの連続したスペーサー間で垂直に摺動させることにより行なわれ得る。
【００４５】
特に、スペーサー間に挿置するアプリケータは、アプリケータを、例えば回転駆動されるローラーで構成した移送部材に対して一つずつ押圧できる押圧部材を備えたディスペンサーに積重ねられ得る。
【００４６】
特に、ディスペンサーは、複数のアプリケータの充填されることになる支持体上に配置され得、これらアプリケータはディスペンサーに水平に積重ねられる。
【００４７】
充填中、スペーサーを互いに接続するヒンジを備える支持体のトランクは、スペーサーをファン形態に容易に拡げることができるように丸くなった形状のホルダー部材に対して支持し得る。
【００４８】
充填中、支持体は、ディスペンサーの下方の二つの連続したスペース間に形成した空のスペースを形成するように上記ホルダー部材に対して動かされ得、それによりアプリケータはこのようにして形成したスペースに挿置され得る。
【００４９】
支持体の基部分は、ホルダー部材に対して支持体の動きを生じさせる及び（又は）その動きを伴うように垂直に動かされ得る。
【００５０】
一度支持体が充填されると、支持体は折畳んだ状態で容器内に挿置される。
【００５１】
支持体は、特に、支持体の基部分の弾性変形により容器の開口を通るのに十分な力で容器内に押し込まれ得る。
【００５２】
その後、適当には、容器は少なくとも部分的に液体で満たされ、そして密封して閉じられ得る
【００５３】
本発明は、添付図面を参照して、本発明を限定しない実施形態についての以下の詳細な説明から一層良く理解される。
【発明を実施するための最良の形態】
【００５４】
図１に示す包装装置１は、支持体１０及び内側に支持体１０を配置した容器２０を備えている。
【００５５】
容器２０は長手方向軸線Ｘの本体２１を有し、本体２１の頂端部には首部２２が設けられ、この首部２２は外側ねじを備え、このねじに蓋２３がねじ嵌合されて容器を実施的に密封する。
【００５６】
説明している例では、容器２０の本体２１は、軸線Ｘのまわりの円筒形側壁２１ａ及び底壁２１ｂを備え、例えばプラスチック材料又はガラスを成形することによって構成される。
【００５７】
首部２２の底端部は円筒形側壁２１ａと共動して角度付き肩部２４を形成している。
【００５８】
支持体１０は基部分１１を備え、支持体が収納形態において容器２０内に置かれる際に、この基部分１１に、軸線Ｘにほぼ平行にのびるトランク１５が接続される。
【００５９】
トランク１５は多数のスペーサー１２を担持し、これらのスペーサー１２は収納形態において軸線Ｘにほぼ垂直にのびている。例として、スペーサー１２は全てとランク１５の同一側からのびることができる。例えば、スペーサー１２は垂直方向に互いに正確に重ねられ、全て例えば同じである。
【００６０】
トランク１５の頂端部は頂部分１３に接続され、頂部分１３はハンドル部材１４を備えている。説明している例では、ハンドル部材は上方に向いたトングの形状である。
【００６１】
基部分１１は、軸線Ｘに垂直にのびかつ多数のタブ１８によって下向きにのばされたプレート１９を備え、各タブは半径方向外方に曲げられた部分１８ａ及び面取り底端部１８ｂを備えている。
【００６２】
説明している例では、スペーサー１２は、各々テーパー状の自由端部１２ａをもちかつ反対側端部１２ｂを介してトランク１５に接続されたプレートの形態である。スペーサーの端部１２ａ、１２ｂは、装置が収納状態にある時、垂直に重ねられ得る。
【００６３】
本装置は、多数の直線状のセグメント１６を備え、各セグメント１６は、底部から最初のセグメント１６を除いて、関連したスペーサー１２に垂直に接続され、最初のセグメント１６は基部分１１のプレート１９に垂直に接続されている。
【００６４】
セグメント１６はフィルムヒンジ１７によって相互に接続され、それにより二つの連続したスペーサー１２がヒンジ接続により互いに接続されるようにしている。
【００６５】
頂部分１３はフィルムヒンジ１７によってトランク１５に接続されている。
【００６６】
支持体１０が容器２０内を上向きに動かされる際に、基部分１１のタブ１８は肩部２４に当接し、それにより支持体１０を容器内に保持する。
【００６７】
説明している例では、支持体１０はプラスチック材料の成形により単一部片として構成される。
【００６８】
アプリケータ３０はスペーサー１２の間に挿置され、別のアプリケータ３０は特に図４に見られるように、頂部分１３の下側に挿置されている。
【００６９】
説明している例において、アプリケータ３０は図３に示すように円形の輪郭３１をもち、アプリケータ３０の直径は、説明している例では容器の首部２２の内径より僅かに小さい。
【００７０】
図１に見られるように、アプリケータ３０はスペーサー１２よりサイズを大きくでき、それにより各アプリケータ３０の部分３２はスペーサー１２を越えてのびる。
【００７１】
しかし、頂部分１３のサイズは有利には、下側のアプリケータ３０を、関連したスペーサー１２を越えてのびる部分３２を含めて全てカバーできるようなサイズにされる。
【００７２】
収納状態では、スペーサー１２は全て互いに平行にのび得る。二つの連続したスペーサーは、特にそれらスペーサーの端部１２ｂの付近において、特に収納状態にある時又はアプリケータを保持している時に、それらのスペーサー間に挿置したアプリケータ３０が押しつぶすのを避けるように構成され得る。
【００７３】
本装置１は次のように用いられ得る。
【００７４】
使用者は図５に示すように蓋２３を外し、そして図６に示すように、頂部分１３を矢印Ｆの方向に持上げることができる。
【００７５】
頂部分１３を持上げると、支持体１０は、図７に示すように、軸線ｘに沿って持上げることができ、この上向きの動きは随意には、首部２２の一側に支持したトランク１５によって容易となる。従って、トランク１５を首部２２に対して支持しながら、頂部分１３を回動することによって、容器に対して支持体１０の残りの部分を持上げることができ、そして支持体１０はファン形状に容器の外側へ取り上げることができ、それによりアプリケータを容易に保持できる。
【００７６】
使用者は、頂部分１３の直下に位置したアプリケータ３０を取り出すことができ、そして更にアプリケータを使用する際には、使用者は、例えば図８に示す形態となるように、次々とアプリケータ３０を取り出すことができ、スペーサー１２の間の多数のスペースは空となるが、容器２０内に位置しているスペーサー間には幾つかのアプリケータ３０が残っている。最後のアプリケータ３０が取り出されると、図９に示すように、基部分１１は例えば肩部２４に対して支持され、支持体１０の残りの部分はファン形態を成している。
【００７７】
使用者が一枚のアプリケータ３０を取り上げている間に、隣接したアプリケータ３０に触れる危険は低減される。
【００７８】
さらに、各アプリケータ３０は下側のスペーサー１２上に比較的容易に摺動でき、それにより指の爪の間にアプリケータ３０を挟む必要なしにそのアプリケータ３０を容易に保持することができるようになる。
【００７９】
さらに、容器２０が液体で充填されると、支持体１０を容器から部分的に引き抜くことができることにより、使用者は指を液体に浸すのを避けることができる。
【００８０】
包装装置は次のように製造され得る。
【００８１】
一部片プラスチック成形体として製作した後、支持体１０は図１０に示すように、充填部に空で移される。
【００８２】
トランク１５は、丸くなった頂面４１をもつホルダー部材４０に対してのせられ得る。
【００８３】
支持体１０の頂部分１３は実質的に垂直に方向決めされ、それで頂部分と隣接したスペーサー１２との間のスペース４２が上向きに開いたＶ字形となる。
【００８４】
充填部は、アプリケータ３０の水平積重ね体を収容しかつ移送部材４７に対して矢印Ｐに沿ってアプリケータ３０を押すことのできるプッシャー４６を備えたディスペンサー４５を有する。例として、移送部材４７はローラーの形態であり、回転させることにより、移送部材４７と接触しているアプリケータ３０を垂直下方に位置した関連したスペース内へ下向きに動かす。充填が進むにつれて、支持体１０の基部分１１は上向きに動き、それによりトランク１５は、ホルダー部材４０の丸くなった面４１上を動くことができ、残りの空のスペース４２はディスペンサー４５の垂直下方に順次移動され、支持体１０は図１１に見られるように、充填されながらファン形状となる。
【００８５】
一度全てのアプリケータ３０がスペーサー１２の間に挿置されると、支持体１０は閉じられ、スペーサー１２は互いに実質的に平行となり、図１２に示すように上下逆にされ、容器２０の本体２１内に挿入できるようにされる。
【００８６】
この挿入中、図１３に示すように、基部分１１上のタブ１８は半径方向内側に弾性変形しながら首部２２を通る。
【００８７】
その後、容器は右側に旋回され、そしてできればアプリケータ３０に含浸することになる液体が充填され、その後、図１４に示すように蓋２３が施される。
【００８８】
変形例では、容器にはいかなる液体も充填されず、アプリケータは、スペーサー１２の間に挿置する前に少なくとも一つの物質が含浸される。
【００８９】
当然、本発明は、上記の実施形態に限定されない。
【００９０】
特に、支持体１０の頂部分１３の形態は変更でき、例えば、図１５に示すように、下側のアプリケータ３０全体を覆う必要はなく、頂部分１３は例えば二つの相対した真直ぐな側部を備える。
【００９１】
また、アプリケータ３０は円形でない形状にでき、例えばアプリケータ３０は図１７に示すような方形又は図１８に示すような長方形であってもよい。
【００９２】
アプリケータ３０は種々の構造をもつことができ、そして特にアプリケータ３０は織布又は不織布の少なくとも一つの層、或いは発泡体の層、或いはフロック加工したコーティングを担持する層を備えることができる。
【００９３】
特に、アプリケータ３０は、例えば異なる物質を収容する二つの外層５１、５２及びこれらの外層間に配置した不浸透性の中間層５３を備える多層構造体として構成できる。スペーサー１２の存在により、あるアプリケータ３０の層５２と隣接したアプリータ３０の層５１との間の接触を避けることができ、そしてこれは、特に層５１、５２に含まれた物質が不相溶性である場合に有利である。
【００９４】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【図面の簡単な説明】
【００９５】
【図１】本発明に従って構成した包装装置の概略軸方向断面図。
【図２】蓋を外した後の図１の矢印ＩＩに沿って見た平面図。
【図３】アプリケータの一例を分離して示す平面図。
【図４】図１の装置の細部を示す拡大図。
【図５】装置の使用の仕方を示す図。
【図６】装置の使用の仕方を示す図。
【図７】装置の使用の仕方を示す図。
【図８】装置の使用の仕方を示す図。
【図９】装置の使用の仕方を示す図。
【図１０】装置の製造の仕方を示す図。
【図１１】装置の製造の仕方を示す図。
【図１２】装置の製造の仕方を示す図。
【図１３】装置の製造の仕方を示す図。
【図１４】装置の製造の仕方を示す図。
【図１５】支持体の変形実施形態を示す、図２と同様な図。
【図１６】支持体の変形実施形態を示す、図２と同様な図。
【図１７】アプリケータの変形実施形態を示す、図３と同様な図。
【図１８】アプリケータの変形実施形態を示す、図３と同様な図。
【図１９】二側型のアプリケータの概略部分断面図。
【符号の説明】
【００９６】
１：包装装置
１０：支持体
１１：基部分
１２：スペーサー
１２ａ：テーパー状の自由端部
１２ｂ：反対側端部
１３：頂部分
１４：ハンドル部材
１５：トランク
１６：セグメント
１７：フィルムヒンジ
１８：タブ
１８ａ：半径方向外方に曲げられた部分
１８ｂ：面取り底端部
１９：プレート
２０：容器
２１：本体
２１ａ：円筒形側壁
２１ｂ：底壁
２２：首部
２３：蓋
２４：角度付き肩部
３０：アプリケータ
３１：円形の輪郭
３２：アプリケータ３０の部分
４０：ホルダー部材
４１：丸くなった頂面
４２：スペース
４５：ディスペンサー
４６：プッシャー
４７：移送部材
５１：外層
５２：外層
【図１】
2005066344.tif 000003
【図２】
2005066344.tif 000004
【図３】
2005066344.tif 000005
【図４】
2005066344.tif 000006
【図５】
2005066344.tif 000007
【図６】
2005066344.tif 000008
【図７】
2005066344.tif 000009
【図８】
2005066344.tif 000010
【図９】
2005066344.tif 000011
【図１０】
2005066344.tif 000012
【図１１】
2005066344.tif 000013
【図１２】
2005066344.tif 000014
【図１３】
2005066344.tif 000015
【図１４】
2005066344.tif 000016
【図１５】
2005066344.tif 000017
【図１６】
2005066344.tif 000018
【図１７】
2005066344.tif 000019
【図１８】
2005066344.tif 000020
【図１９】
2005066344.tif 000021
【外国語明細書】
2005066344.tif 000022
2005066344.tif 000023
2005066344.tif 000024
2005066344.tif 000025
2005066344.tif 000026
2005066344.tif 000027
2005066344.tif 000028
2005066344.tif 000029
2005066344.tif 000030
2005066344.tif 000031
2005066344.tif 000032
2005066344.tif 000033
2005066344.tif 000034
2005066344.tif 000035
2005066344.tif 000036
2005066344.tif 000037
2005066344.tif 000038
2005066344.tif 000039
2005066344.tif 000040
2005066344.tif 000041
2005066344.tif 000042
2005066344.tif 000043
2005066344.tif 000044
2005066344.tif 000045
2005066344.tif 000046